(57)【要約】【課題】エレベータに近い位置に地震管制を復帰する外部スイッチを設置して動作させることで地震管制運転の復帰までの時間を短縮する。【解決手段】エレベータ地震管制復帰装置は、エレベータの設置建物の震度が所定値以上になると作動する地震感知器６と、地震感知器６が作動するとエレベータ乗りかご３を所定の位置に停止させて地震管制運転するように該エレベータを制御するエレベータ制御装置１と、エレベータが設置された建物の入り口付近に設けられてエレベータ制御装置１が地震管制運転をしているときに低速でエレベータを往復運転する点検運転を開始させる外部スイッチ７と、を備える。【選択図】図１
2007119095.tif 000002
【特許請求の範囲】
【請求項１】
エレベータの設置建物の震度が所定値以上になると作動する地震感知器と、
前記地震感知器が作動すると前記エレベータを所定の位置に停止させて地震管制運転するように該エレベータを制御するエレベータ制御装置と、
前記エレベータが設置された前記建物の入り口付近に設けられて前記エレベータ制御装置が前記地震管制運転をしているときに低速でエレベータを往復運転する点検運転を開始させる外部スイッチと、
を備えることを特徴とするエレベータ地震管制復帰装置。
【請求項２】
前記地震感知器は地震発生を検出すると地震感知信号を前記エレベータ制御装置に送信して前記エレベータを前記地震管制運転させ、前記外部スイッチは前記点検運転を開始させる点検開始信号を前記エレベータ制御装置に送信し、前記エレベータ制御装置は前記地震感知信号と前記点検開始信号の両方のオン信号を受け入れたときに前記エレベータに前記点検運転を開始させることを特徴とする請求項１に記載のエレベータ地震管制復帰装置。
【請求項３】
前記エレベータ制御装置は、前記地震感知器より送信された前記地震感知信号と前記外部スイッチより送信された前記点検開始信号との論理積をとってその論理演算結果としての点検運転信号を送信することにより前記点検運転を可能にする論理回路を備えることを特徴とする請求項２に記載のエレベータ地震管制復帰装置。
【請求項４】
前記外部スイッチは、前記地震感知器と前記エレベータ制御装置との間に設けられて前記地震感知器からの前記地震感知信号の入力により閉成されて前記エレベータ制御装置に前記地震管制運転を開始させる第１接点と、前記エレベータ制御装置と所定電位の基準信号電源との間に設けられて前記第１接点の閉成に連動して閉成されると共に外部からの操作により開成されて前記エレベータ制御装置に前記点検運転を制御させる第２接点と、を備えることを特徴とする請求項１に記載のエレベータ地震管制復帰装置。
【請求項５】
前記外部スイッチは、前記建物入り口付近の前記エレベータの昇降路内であって第三者が容易に操作できない位置に設けられていることを特徴とする請求項１に記載のエレベータ地震管制復帰装置。
【請求項６】
前記外部スイッチは、エレベータホールの操作盤内の第三者が容易に操作できない位置に設けられていることを特徴とする請求項１に記載のエレベータ地震管制復帰装置。
【発明の詳細な説明】
【技術分野】
【０００１】
本発明は、エレベータを地震管制運転から点検運転に復帰させるエレベータ地震管制復帰装置に関する。
【背景技術】
【０００２】
近年、建物の高層化や近代化に伴い建物内に設置されたエレベータを制御する技術も発展してきている。また、プレートテクトニクス理論や直下型地震等の地震に関する研究の進歩によって地震予知や地震時の管制運転制御などに関する技術も進歩してきている。
【０００３】
まず、従来のエレベータの地震管制運転について図６を参照して説明する。図６において、エレベータ制御装置１および巻上機２は、建物の最上部にあるエレベータ機械室やエレベータ昇降路（共に図示されず）に設置されている。巻上機２には、エレベータ乗かご３と釣合い錘４が設置されたメインロープ５が懸架されている。
【０００４】
エレベータ制御装置１は、巻上機２と電気的に接続されており、巻上機２を制御することで、エレベータ乗りかご３を昇降させて、エレベータの利用者を運搬する。一般にエレベータ乗りかご３および釣合い錘４は、昇降路内の上下方向に設置されたレールに沿って走行する。建物が建てられた地域で地震が発生すると、建物が揺れたことにより、この前記レールがたわみ、エレベータ乗りかご３および釣合い錘４がレールから外れてしまう場合がある。エレベータ乗りかご３および釣合い錘４がレールから外れた状態で通常運転を繰り返すと、エレベータ乗りかご３と釣合い錘４が接触し、激突する恐れがある。このようなことから、建物の最上部にあるエレベータ機械室やエレベータ昇降路には、地震感知器６が設置されており、エレベータ制御装置１に電気的に接続し、地震が発生して地震感知器６が動作すると、エレベータ制御装置１に信号を送り、巻上機２に指令を送り、エレベータの走行を停止する地震管制運転をするようにしている。
【０００５】
図６に示された従来の管制運転は、地震感知器６の内部に設けられた図示されないリセットスイッチをリセットすることにより、エレベータ制御装置１は再び通常運転モードでエレベータの制御を開始すると共に、地震感知器６は再び地震を感知することが可能な状態に設定されることになる。以上のように、図６に示す従来の地震時管制運転装置においては、図示されない機械室等に設置された地震感知器６のところまで保守作業要員がわざわざ移動して、リセットスイッチを操作することにより初めて管制運転からの復帰が可能となっていた。
【０００６】
特許文献１は、エレベータ管制運転復帰方法の一例を示している。この特許文献１には、地震感知器が作動したエレベータに被害がない場合には、同一レベルの被害が想定される他のエレベータに対して遠隔操作でエレベータの運転を短時間で復帰させるエレベータ管制運転復帰方法が開示されている。
【特許文献１】特開２０００−３０９４７６号公報
【発明の開示】
【発明が解決しようとする課題】
【０００７】
このような地震感知器が設置されているエレベータシステムにおいて、地震感知器が動作してエレベータの運行を停止した地震管制運転を通常運転に復帰するためには、エレベータ乗りかごおよび釣合い錘がレールから外れていないことを確認し、地震感知器を復帰させる必要がある。地震感知器は建物の最上部にあるエレベータ機械室や昇降路に設置されている場合が多く、復帰のためにエレベータ保守員が階段を利用して建物の最上部へ赴き、地震感知器を復帰させる必要がある。
【０００８】
また、エレベータ乗りかごに利用者を乗せて運行中に、地震感知器が動作するような地震が発生した場合、エレベータ乗りかごが利用者の乗降可能な位置で地震管制運転になりエレベータが停止するとは限らず、利用者をエレベータ乗りかご内に閉じ込めてしまう状況も発生する。このような状況で、利用者の閉じ込めを復帰するためには、前述したようにエレベータ保守員が階段を利用して、地震感知器が設置された場所へ赴き、地震感知器を復帰させる必要があるため、利用者の救出に時間がかかり、利用者に不快感を与える恐れがある。また、広範囲で地震が発生した場合、多くの台数のエレベータが地震管制運転になり、地震管制運転中のエレベータ全台数を復帰させるためには、それぞれの建物の最上部へ赴くため、復帰まで多くの時間を必要とすることになる。
【０００９】
しかし、地震が発生したことによりエレベータ乗りかごおよび釣合い錘がレールから外れてしまうような深刻な事態は少なく、ほとんどの場合においては、地震感知器を復帰させて、エレベータを点検運転で往復させることにより通常運転へ復帰させることができるような状態が多い。
【００１０】
また、特許文献１に開示されているエレベータ管制運転復帰方法は、地震感知器を備えるエレベータそのものの復帰を考えるものではなく、地震感知器が作動したエレベータに被害があったか否かを参考にしてそのエレベータ周辺の同一レベルの被害が想定される他のエレベータに対して遠隔操作でエレベータの運転を短時間で復帰させるものであり、一定の範囲内で離隔する建物に分散配置されたエレベータを群として取り扱ってそれらのエレベータ群を統括して復帰制御するものであり、地震発生時に管制運転されている個別のエレベータの復帰に関するものではない。
【００１１】
そこで、本発明は、建物の入りロおよびエレベータに近い位置に地震管制を復帰するための外部スイッチを新たに設置しておいて、外部スイッチを動作させることで自動的に点検運転をしてエレベータの機器に問題無いことを確認し、通常運転へ復帰することにより、エレベータの地震管制運転の復帰までの時間を短縮するエレベータ地震管制復帰装置を提供することにある。
【課題を解決するための手段】
【００１２】
上記目的を達成するために、本発明の基本構成としての第１構成に係るエレベータ地震管制復帰装置は、エレベータの設置建物の震度が所定値以上になると作動する地震感知器と、前記地震感知器が作動すると前記エレベータを所定の位置に停止させて地震管制運転するように該エレベータを制御するエレベータ制御装置と、前記エレベータが設置された前記建物の入り口付近に設けられて前記エレベータ制御装置が前記地震管制運転をしているときに低速でエレベータを往復運転する点検運転を開始させる外部スイッチと、を備えることを特徴とする。
【００１３】
この第１構成により、地震管制運転を復帰するために保守作業員が屋上等の地震感知器が設置された場所へ赴く必要がなくなり、最短時間でエレベータが復帰可能な場所に外部スイッチを設けることにより、エレベータを短い時間で地震管制運転から復旧させることができる。
【００１４】
この発明の第２構成に係るエレベータ地震管制復帰装置は、第１構成に記載のものにおいて、前記地震感知器は地震発生を検出すると地震感知信号を前記エレベータ制御装置に送信して前記エレベータを前記地震管制運転させ、前記外部スイッチは前記点検運転を開始させる点検開始信号を前記エレベータ制御装置に送信し、前記エレベータ制御装置は前記地震感知信号と前記点検開始信号の両方のオン信号を受け入れたときに前記エレベータに前記点検運転を開始させることを特徴とする。
【００１５】
この発明の第３構成に係るエレベータ地震管制復帰装置は、第２構成に記載のものにおいて、前記エレベータ制御装置は、前記地震感知器より送信された前記地震感知信号と前記外部スイッチより送信された前記点検開始信号との論理積をとってその論理演算結果としての点検運転信号を送信することにより前記点検運転を可能にする論理回路を備えることを特徴とする。
【００１６】
また、この発明の第４構成に係るエレベータ地震管制復帰装置は、第１構成に記載のものにおいて、前記外部スイッチは、前記地震感知器と前記エレベータ制御装置との間に設けられて前記地震感知器からの前記地震感知信号の入力により閉成されて前記エレベータ制御装置に前記地震管制運転を開始させる第１接点と、前記エレベータ制御装置と所定電位の基準電源との間に設けられて前記第１接点の閉成に連動して閉成されると共に外部からの操作により開成されて前記エレベータ制御装置に前記点検運転を制御させる第２接点と、を備えることを特徴とする。
【００１７】
また、この発明の第５構成に係るエレベータ地震管制復帰装置は、第１構成に記載のものにおいて、前記外部スイッチは、前記建物入り口付近の前記エレベータの昇降路内であって第三者が容易に操作できない位置に設けられていることを特徴とする。この第５構成によれば、昇降路内には、特別な作業員しか入ることができないため、いたずらなどにより地震感知器を復帰させるための外部スイッチを操作される虞を低減することができる。
【００１８】
また、この発明の第６構成に係るエレベータ地震管制復帰装置は、第１構成に記載のものにおいて、前記外部スイッチは、エレベータホールの操作盤内の第三者が容易に操作できない位置に設けられていることを特徴とする。これにより、第５構成と同様にいたずらなどにより地震感知器を復帰させるための外部スイッチを操作されることをなくすことができる。
【発明の効果】
【００１９】
このように、外部スイッチによりエレベータ制御装置へ、地震管制運転の状態から点検運転を開始する信号を送ることにより、エレベータ機器の点検とエレベータ機械室および地震感知器へ赴く動作が同時に出来る為、地震管制運転を復帰する作業の効率を良くすることができる。また、広域地震災害において多くのエレベータが地震管制運転になった場合でも、全てのエレベータを復旧させるまでの時間を短縮することができる。
【発明を実施するための最良の形態】
【００２０】
［第１実施形態］
まず、本発明の第１実施形態に係るエレベータ地震管制復帰装置について、図１を参照しながら説明する。
【００２１】
図１において、基本構成である第１実施形態に係るエレベータ地震管制復帰装置は、エレベータの設置建物の震度が所定値以上になると作動する地震感知器６と、地震感知器６が作動するとエレベータ乗りかご３を所定の位置に停止させて地震管制運転するように該エレベータを制御するエレベータ制御装置１と、エレベータが設置された建物の入り口付近に設けられてエレベータ制御装置１が地震管制運転をしているときに低速でエレベータを往復運転する点検運転を開始させる外部スイッチ７と、を備える。エレベータ乗りかご３は巻上機２に巻回されたメインロープ５の一端に連結され、メインロープ５の他端には釣合い錘４が設けられている点は、図６の従来の構成と同じ構成である。
【００２２】
上述したように図１においては、エレベータ制御装置１、巻上機２、エレベータ乗りかご３、釣合い錘４、メインロープ５、地震感知器６については、上述の従来の技術で説明したものと同様に一般的なエレベータの動作および構成になっている。地震管制運転を復帰するための外部スイッチ７は、電気的にエレベータ制御装置１に接続されている。外部スイッチ７は、エレベータ制御装置１に電気的に接続可能であれば、設置位置の制限はないが、なるべく建物の入り口近傍が望ましい。通常運転の状態では、外部スイッチ７の接点は閉の状態になっている。地震感知器６が地震を感知すると、地震感知器６はエレベータ制御装置１へ信号を送り、地震感知器６からの信号を受けたエレベータ制御装置１は、地震管制運転により運行を停止させる。従来の方法であると、このような状態になったとき地震管制運転を復帰するには、地震感知器６をリセットし、さらにエレベータ制御装置１をリセットする必要がある。
【００２３】
ここで、本発明の第１実施形態では、任意の場所、好ましくは建物の入り口付近に設置された外部スイッチ７を動作させる。外部スイッチ７が動作すると、信号がエレベータ制御装置１に送られ、エレベータ制御装置１は外部スイッチ７が動作したことを認識する。外部スイッチ７が動作したことを認識したエレベータ制御装置１は、地震管制運転を自らリセットする。さらに、エレベータ制御装置１は、点検運転により低速で往復運転を開始する。往復運転を実施している間に、エレベータ保守員は、エレベータ制御装置１へ赴き、エレベータとして機器に異常がないことを確認する。また、エレベータ制御装置１の近傍に地震感知器６が設置されていることが多いので、同時に地震感知器６のリセットを実施する。往復運転実施中にエレベータ制御装置１が機器の異常を検出すると、往復運転は中止され停止する。往復運転実施後、エレベータ制御装置１が異常を検出しなければ、通常運転に切替る。
【００２４】
［第２実施形態］
次に、この発明の第２実施形態に係るエレベータ地震管制復帰装置について、図１を参照しながら説明する。第２実施形態は、図１に示す第１実施形態に記載のものにおいて、地震感知器６は地震発生を検出すると地震感知信号Ｓ１をエレベータ制御装置１に送信してエレベータを地震管制運転させ、外部スイッチ７は点検運転を開始させる点検開始信号Ｓ２を前記エレベータ制御装置に送信し、エレベータ制御装置１は地震感知信号Ｓ１と点検開始信号Ｓ２の両方のオン信号を受け入れたときにエレベータに点検運転を開始させるように設定されている。
【００２５】
したがって、この第２実施形態においては、地震感知信号Ｓ１のみの入力で地震管制運転を行なうようにエレベータを制御して、外部スイッチ７のオンにより点検開始信号Ｓ２が入力されたときに管制運転から一時的に復帰して低速運転可能となり、保守作業員が屋上等に設置されたエレベータ制御装置１および地震感知器６のところまで移動して制御装置１および地震感知器６をそれぞれ復旧させる。
【００２６】
［第３実施形態］
この発明の第３構成に係るエレベータ地震管制復帰装置は、第２構成に記載のものにおいて、エレベータ制御装置１の動作を論理回路の構成により実現するものである。図２に示すように、第３実施形態によるエレベータ地震管制復帰装置は、地震感知器６より送信された地震感知信号Ｓ１と外部スイッチ７より送信された点検開始信号Ｓ２との論理積をとってその論理演算結果としての点検運転信号Ｓ３を送信することにより点検運転を可能にする論理回路１０を備えている。図２に示された論理回路１０は、論理積（アンド）回路とする。
【００２７】
図２に示すように、エレベータ制御装置１は、論理積回路１０を備えているので、地震感知器６のオンにより送信されてくる地震感知信号Ｓ１と、外部スイッチ７のオンにより送信されてくる点検開始信号Ｓ２の論理積を取ることにより、点検運転信号Ｓ３を出力するので、簡単な論理回路を用いてエレベータ地震管制運転からの復帰を行なうことができる。
【００２８】
［第４実施形態］
次に、この発明の第４実施形態に係るエレベータ地震管制復帰装置について、図３を用いて説明する。図３において、エレベータ地震管制復帰装置は、図１に示された外部スイッチ７を、地震感知器６とエレベータ制御装置１との間に設けられて地震感知器６からの地震感知信号Ｓ１の入力により閉成されてエレベータ制御装置１に前記地震管制運転を開始させる第１接点７１と、エレベータ制御装置１と所定電位の基準信号電源との間に設けられて第１接点７１の閉成に連動して閉成されると共に外部からの操作により開成されてエレベータ制御装置１に点検運転を制御させる第２接点７２と、を備える外部スイッチ７０としたものである。
【００２９】
図３に示すように構成することにより、外部スイッチ７０における第１接点７１と第２接点７２とが連動して地震感知器６のオン動作により地震管制運転が開始すると共に保守作業員が建物の入り口近くに設けられた外部スイッチ７０の第２接点を解除することにより、エレベータドアが開放されてエレベータかご３内に搭乗することができる。さらに、低速運転で地震感知器６およびエレベータ制御装置１が設けられた屋上近くの階床まで移動できる。エレベータのかご３はそこで停止するが、保守作業員はエレベータ制御装置１および地震感知器６をリセットすることができる。
【００３０】
［第５実施形態］
次に、本発明の第５実施形態について図４を参照して説明する。図４においては、第１実施形態により説明した地震管制運転を復帰させるための外部スイッチ７を昇降路内に設置する。昇降路とエレベータの乗り場は、ホールドア８により区切られている。外部スイッチ７の設置場所は、建物入りロから最短距離のホールドア８の内側の昇降路に設置する。昇降路内に入るには、ホールドア８を開ける必要があるが、一般的にホールドア８は特殊工具がなければ開けられない構造になっており、第三者が昇降路内に侵入できなくなっている。そのため、昇降路内に設置された外部スイッチ７は、第三者が容易に操作できない構成になっている。
【００３１】
地震管制運転が動作した場合、エレベータ保守員は特殊工具を使用してホールドア８を開けて、外部スイッチ７を動作させて、地震管制運転復帰のための点検運転を実施させ、エレベータ機械室へ赴き機器の異常を確認する。そして、地震感知器６をリセットする。
【００３２】
［第６実施形態］
次に、本発明の第６実施形態について図５を参照して説明する。図５において、第１実施形態により説明した地震管制運転を復帰させるための外部スイッチ７をホール操作盤９内に設置する。外部スイッチ７を設置するホール操作盤９は、建物入りロから最短距離のホール操作盤９内に設置する。外部スイッチ７を操作するにはホール操作盤９を開ける必要があるが、一般的に第三者はホール操作盤を開ける方法を知らないため、容易に操作できない構成になっている。地震管制運転が動作した場合、エレベータ保守員はホール操作盤９を開けて、外部スイッチ７を動作させて、地震管制運転復帰のための点検運転を実施させ、エレベータ機械室へ赴き機器の異常を確認する。そして、地震感知器６をリセットする。
【図面の簡単な説明】
【００３３】
【図１】第１実施形態および第２実施形態のエレベータ地震管制復帰装置を示すブロック図。
【図２】第３実施形態のエレベータ地震管制復帰装置を示すブロック図。
【図３】第４実施形態のエレベータ地震管制復帰装置を示すブロック図。
【図４】第５実施形態のエレベータ地震管制復帰装置を示すブロック図。
【図５】第６実施形態のエレベータ地震管制復帰装置を示すブロック図。
【図６】従来のエレベータ地震管制復帰装置を示すブロック図。
【符号の説明】
【００３４】
１  エレベータ制御装置
２  巻上機
３  エレベータ乗りかご
４  釣合い錘
５  メインロープ
６  地震感知器
７  外部スイッチ
８  ホールドア
９  ホール操作盤
１０  論理積回路
７０  外部スイッチ
７１  第１接点
７２  第２接点
Ｓ１  地震感知信号
Ｓ２  点検開始信号
Ｓ３  点検運転信号
【図１】
2007119095.tif 000003
【図２】
2007119095.tif 000004
【図３】
2007119095.tif 000005
【図４】
2007119095.tif 000006
【図５】
2007119095.tif 000007
【図６】
2007119095.tif 000008